(57)【要約】【課題】  簡単な構造で、ボックス区画壁の導入口から導入した信号伝達部材の周囲を簡単な構造で液密化でき、液体噴射ヘッドを備えたモバイル電子機器にも対応しうるコネクタボックスの液密構造を提供する。【解決手段】  ボックス区画壁４２に形成した導入口４３から導入した信号伝達部材３５の接点部３６を接続するコネクタ端子３２を内部に収納して成るコネクタボックス４１の液密構造であって、導入口４３を信号伝達部材３５を通過させるスリット状挿通部５６を有するシール部材５１で覆うと共に、シール部材５１上に信号伝達部材３５を通過させる開口部６６を備えたキャップ部材６１を被せ、コネクタボックス４１に備えた係止手段７１でキャップ部材６１を拘束してシール部材５１を押え、シール部材５１の着座部５４を導入口周辺のボックス区画壁４２の上面に密着させると共に、シール部材５１のスリット状挿通部５６を狭めて信号伝達部材３５に密着させる。【選択図】  図３
2005276638.tif 000002
【特許請求の範囲】
【請求項１】
ボックス区画壁に板状の信号伝達部材を導入する導入口を有し、該導入口から導入した前記信号伝達部材の接点部を電気的に接続するコネクタ端子を内部に収納して成るコネクタボックスの液密構造であって、
弾性材から作製され、前記信号伝達部材を挿通させるスリット状挿通部を頂部に有し、下端に着座部を有し、前記導入口を覆うシール部材と、
該シール部材上に被せられ、前記信号伝達部材を通過させる開口部を頂部に有し、中空な内部にテーパー部を有するキャップ部材と、
該キャップ部材を前記シール部材に被せた状態でコネクタボックスに止める係止手段と、
を備え、
該係止手段がキャップ部材をシール部材に対して押圧する押圧力によりシール部材の着座部を導入口周辺のボックス区画壁に密着させると共に、前記テーパー部によりシール部材を押圧してスリット状挿通部を狭めて信号伝達部材に密着させるようにしたことを特徴とするコネクタボックスの液密構造。
【請求項２】
前記キャップ部材のテーパー部を信号伝達部に対向する内面に配置し、このテーパー部が当接するシール部材の外面に傾斜部を形成したことを特徴とする請求項１に記載のコネクタボックスの液密構造。
【請求項３】
前記シール部材のスリット状挿通部の長さが前記信号伝達部材の幅よりも狭く設定されていることを特徴とする請求項１または請求項２に記載のコネクタボックスの液密構造。
【請求項４】
前記信号伝達部材は、フレキシブル基板であることを特徴とする請求項１から請求項３のいずれかに記載のコネクタボックスの液密構造。
【請求項５】
前記信号伝達部材は、硬質基板であることを特徴とする請求項１から請求項３のいずれかに記載のコネクタボックスの液密構造。
【請求項６】
前記弾性材は、軟質弾性材であることを特徴とする請求項１から請求項５のいずれかに記載のコネクタボックスの液密構造。
【請求項７】
共通液体室及び圧力室を通ってノズル開口に至る一連の液体流路が形成された流路ユニットをケースに設け、液体導入口から導入した液体を圧力室の圧力発生素子を駆動することにより液滴として前記ノズル開口から吐出する液体噴射ヘッドであって、
前記ケースに、請求項１から請求項６のいずれかに記載のコネクタボックスを設け、該コネクタボックス内に収納された配線基板上にコネクタ端子を設け、該コネクタ端子と前記圧力発生素子との間を中継ケーブルにより電気的に接続し、この中継ケーブル及び信号伝達部材を介して圧力発生素子に駆動信号を供給することを特徴とする液体噴射ヘッド。
【発明の詳細な説明】
【技術分野】
【０００１】
本発明は、フレキシブル基板（ケーブル）などの板状の信号伝達部材を電気的に接続するコネクタボックスの液密構造、及びこれを備えた液体噴射ヘッドに関する。
【背景技術】
【０００２】
従来より、コネクタ端子を外部環境から保護するためにコネクタボックス内に収納することは行われており、このコネクタボックス内に収納したコネクタ端子にフレキシブル基板を接続するには、ボックス区画壁にフレキシブル基板を挿通させるための導入口を形成し、この導入口からフレキシブル基板を導入して、その接点部をコネクタ端子に電気的に接続している。
【０００３】
このようなコネクタボックスの防水構造としては、図７に示すように、コネクタボックス８１のボックス区画壁８２に形成した導入口８３と、コネクタボックス８１内のコネクタ端子８５に接続したフレキシブル基板８６との隙間に接着剤８７を詰めたり、図８に示すように、フレキシブル基板８６が通過する導入口８３の上方をフレキシブル基板８６が通過する挿通口８８を有するカバー部材８９で覆い、このカバー部材８９内にシール剤９０を充填したりしていた。
【０００４】
これに関連する技術として、例えば、特開２００２−１２４３３７号公報（特許文献１）には、フレキシブル基板ケーブルの端に対するターミナルを内部に保持する受容通路およびこの受容通路を形成する外周部を有するハウジングと、フレキシブル基板ケーブルが通る第１開口を有し、受容通路内に挿入可能であり、完全挿入状態になると通されたフレキシブル基板ケーブルの端をターミナルに電気的に接触させるリテーナと、フレキシブル基板ケーブルが通る第２開口を有し、外周部に被せて係止可能なカバーとを備え、リテーナとカバーで囲われた空間内にシール部材を充填する構成の発明が開示されている。
【０００５】
また、特開２００１−１５５８１５号公報（特許文献２）には、防水コネクタの嵌合部にフレキシブルプリント基板のシール体を嵌合して、このフレキシブルプリント基板の接点部を圧接端子に接続した場合、係止突起部を係止孔部に係脱可能に係止する構成の発明が開示されている。
【０００６】
さらに、特開平１０−１８９１８０号公報（特許文献３）には、ハウジングに第１フレキシブル基板が電気接触する複数の第１電気接続子を配列した第１基板挿入部と、該第１基板挿入部の上に第２フレキシブル基板が電気接触する複数の第２電気接続子を配列した第２基板挿入部とを階段状に設けると共に、前記第１および第２基板挿入部の上方開口部を開閉し且つ前記第１電気接続子の接点部を前記第１フレキシブル基板を介して押圧する第１加圧部および前記第２電気接続子の接点部を前記第１および第２フレキシブル基板を介して押圧する第２加圧部を備えた加圧部材を、前記第２基板挿入部の上方開口部の前端部近傍に回動自在となるように装着した発明が開示されている。
【０００７】
【特許文献１】特開２００２−１２４３３７号公報
【特許文献２】特開２００１−１５５８１５号公報
【特許文献３】特開平１０−１８９１８０号公報
【発明の開示】
【発明が解決しようとする課題】
【０００８】
しかし、図７に示したように、導入口８３とフレキシブル基板８６との隙間に接着剤８７を詰めたり、図８に示したように、フレキシブル基板８６が通過する導入口８３の上方をカバー部材８９で覆ってその内部にシール剤９０を充填するコネクタボックス８１の防水構造では、組立時に接着剤の乾燥時間を十分に確保する必要があり、接着剤８７で固めた後やシール剤９０の充填後には部品交換等が困難となるため、メンテナンス性に劣るという問題がある。特許文献１に記載の防水構造についても、リテーナとカバーで囲われた空間内にシール部材を充填しているので、同様の不具合が存在する。
【０００９】
また、特許文献２に記載のものは、防水コネクタの嵌合部にフレキシブルプリント基板のシール体を嵌合して、シール体の係止突起部を防水コネクタの係止孔部に係脱可能に係止しているので、コネクタ自体の防水構造であり、フレキシブルプリント基板の接点部を表面実装端子に半田接続するような場合には適用できず、汎用性に劣っている。
【００１０】
さらに、特許文献３に記載のものは、フレキシブル基板を二枚装着することを主眼としたものであり、フレキシブル基板に介設したシール部材を、電気接続子の接点部をフレキシブル基板を介して加圧する加圧部材に接触させているので、フレキシブルプリント基板の接点部を表面実装端子に半田接続するような場合には適用できず、汎用性に劣っている。
【００１１】
近年、様々な電子機器のモバイル化が進められているが、特に、液体噴射ヘッドを備えたプリンタ等の電子機器をモバイル対応とするためには、液体噴射ヘッドに駆動信号を供給するフレキシブル基板の端子接続部をインク漏れから保護する必要があり、その端子接続部を囲繞するコネクタボックスの液密構造の開発が望まれている。
【００１２】
本発明は、上記の事情に鑑みてなされたものであり、簡単な構造で、確実に防水化が図れるコネクタボックスの液密構造、およびこの液密構造を備えてモバイル化にも対応しうる液体噴射ヘッドを提供することを目的とする。
【課題を解決するための手段】
【００１３】
本発明のコネクタボックスの液密構造は、上記目的を達成するために提案されたものであり、ボックス区画壁に板状の信号伝達部材を導入する導入口を有し、該導入口から導入した前記信号伝達部材の接点部を電気的に接続するコネクタ端子を内部に収納して成るコネクタボックスの液密構造であって、
弾性材から作製され、前記信号伝達部材を挿通させるスリット状挿通部を頂部に有し、下端に着座部を有し、前記導入口を覆うシール部材と、
該シール部材上に被せられ、前記信号伝達部材を通過させる開口部を頂部に有し、中空な内部にテーパー部を有するキャップ部材と、
該キャップ部材を前記シール部材に被せた状態でコネクタボックスに止める係止手段と、
を備え、
該係止手段がキャップ部材をシール部材に対して押圧する押圧力によりシール部材の着座部を導入口周辺のボックス区画壁に密着させると共に、前記テーパー部によりシール部材を押圧してスリット状挿通部を狭めて信号伝達部材に密着させるようにしたことを特徴とする。
【００１４】
上記構成によれば、係止手段がキャップ部材をシール部材に対して押圧する押圧力によりシール部材の着座部を導入口周辺のボックス区画壁に密着させると共に、前記テーパー部によりシール部材を押圧してスリット状挿通部を狭めて信号伝達部材に密着させるので、２箇所でシールでき、これによりコネクタボックスの液密化を簡単な構造で達成することができる。
【００１５】
そして、キャップ部材のテーパー部を信号伝達部に対向する内面に配置し、このテーパー部が当接するシール部材の外面に傾斜部を形成することが望ましい。
【００１６】
この様な構成を採ると、キャップ部材のテーパー部がシール部材の傾斜部に斜めに当接するので、キャップ部材がシール部材のスリット状挿通部を狭め易くなり、これにより信号伝達部材に確実に密着させることができる。
【００１７】
また、シール部材のスリット状挿通部の長さを信号伝達部材の幅以下に設定することが望ましい。この様にすると、信号伝達部材の幅方向に別途押圧力を加えることなくシール部材に密着させてシールすることができる。
【００１８】
信号伝達部材は、フレキシブル基板や硬質基板であっても、シール部材が確実に密着してシールされる。
【００１９】
また、弾性材は軟質弾性材により作成されることが望ましい。この様に、軟質弾性材によりシール部材を作製すると、キャップ部材の押圧力によりシール部材は容易に変形し、小さな力を加えるだけでシール部材が信号伝達部材やボックス区画壁に確実に密着させることができる。したがって、大きな係止手段を設ける必要が無く、コンパクト化が容易である。
【００２０】
そして、本発明に係る液体噴射ヘッドは、共通液体室及び圧力室を通ってノズル開口に至る一連の液体流路が形成された流路ユニットをケースに設け、液体導入口から導入した液体を圧力室の圧力発生素子を駆動することにより液滴として前記ノズル開口から吐出する液体噴射ヘッドであり、前記ケースに、請求項１から請求項６のいずれかに記載のコネクタボックスを設け、該コネクタボックス内に収納された配線基板上にコネクタ端子を設け、該コネクタ端子と前記圧力発生素子との間を中継ケーブルにより電気的に接続し、この中継ケーブル及び信号伝達部材を介して圧力発生素子に駆動信号を供給することを特徴とする。
【００２１】
この様に構成すると、簡単な構成で確実な防水機能を備えた液体噴射ヘッドが得られる。したがって、液体噴射ヘッドに備えられたコネクタボックスの液密化を簡単な構造で達成することができ、モバイル電子機器にも対応しうる。このため、モバイル化した場合に、万一、液体貯留部などから液漏れしたり、あるいは水や飲み物などの液体で濡れたとしても、信号伝達部材の電気的接続周りを保護することができ、ショートによる誤動作や破損等のトラブルを未然に防止することができる。
【発明を実施するための最良の形態】
【００２２】
以下、本発明を実施するための最良の形態を図面に基づき説明する。本実施形態は、本発明に係るコネクタボックスの液密構造を液体噴射ヘッドの一種であるインクジェット式記録ヘッドに適用した例である。
【００２３】
図１はインクジェット式記録ヘッド１（以下、記録ヘッド１と略す）の外観を示す斜視図、図２は図１におけるＡ−Ａ線断面図および部分拡大図、図３は図１におけるＢ−Ｂ線断面図および部分拡大図、図４は記録ヘッド１を右前上方から見た分解斜視図である。なお、説明の便宜上、供給針ベース部８側を記録ヘッド１の前方、基板ベース部１０側を記録ヘッド１の後方とし、ノズル列直交方向を左右方向として説明する。
【００２４】
これらの図面に示すように、記録ヘッド１は、液滴状のインク（液体の一種）を吐出して画像等を記録するために用いられるものであり、図示しないインクカートリッジ内のインクを記録ヘッド１内に導入するインク供給針２と、圧力発生素子として機能する圧電振動子３を有するヘッドユニット４と、中継ケーブル５を介して圧電振動子３に駆動信号を供給する配線基板６とをケース７に備えて概略構成される。
【００２５】
ケース７は、複数のインク供給針２を例えば前後２列左右３列に横並びに配設する供給針ベース部８と、この供給針ベース部８の底面から下方に向けて突設されたヘッドユニット取付部９と、このヘッドユニット取付部９の後壁から後方に向けて延在し、配線基板６を配設する基板ベース部１０とを有する。本実施形態においては、ケース７の材料として、例えば、変性ＰＰＥ（ポリフェニレンエーテル）樹脂等の熱可塑性樹脂にガラス繊維を混入して強度を向上させたものを使用している。
【００２６】
供給針ベース部８は、左右方向に長尺な板状部材であり、インク供給針２を配設する部分である。この供給針ベース部８に配設されるインク供給針２の先端部は円錐状に尖っており、インクカートリッジ内に挿入し易くなっている。また、このインク供給針２の先端部には、インク供給針２の内外を連通するインク導入孔が複数穿設されており、これらのインク導入孔（液体導入口）を通じてインクカートリッジ内に貯留されたインクが記録ヘッド１内に導入される。そして、本実施形態の記録ヘッド１は６種類のインクを吐出可能であるため、供給針ベース部８には、合計６本のインク供給針２が先端が上方に向けて突出した姿勢で配設される。
【００２７】
ヘッドユニット取付部９は、内部に空部を有する中空箱体状の部材である。このヘッドユニット取付部９の空部内には、インク供給針２からヘッドユニット４にインクを供給するインク供給路の一部や中継ケーブル５の大部分が収納される。
【００２８】
ヘッドユニット４は、アクチュエータユニット１８と流路ユニット１９とから構成されており、アクチュエータユニット１８と流路ユニット１９とを重ね合わせた状態で一体化してある。アクチュエータユニット１８は、各ノズル開口に対応する圧力室を形成した圧力室プレート、連通口を形成した連通口プレート、及び、圧電振動子３を実装した振動プレート（何れも図示せず）を積層して一体化することで構成されている。
【００２９】
流路ユニット１９は、インク供給口とリザーバの圧力変動を緩和するコンプライアンス部とを形成した供給口プレート２２、複数のリザーバ（共通液体室）を形成したリザーバプレート２４、及び、複数のノズル開口を列設してなるノズル列が形成されたノズルプレート２６を積層して一体化することで構成されている。
【００３０】
アクチュエータユニット１８の圧電振動子３は、所謂撓み振動モードの圧電振動子であり、この圧電振動子３を駆動、即ち、撓み振動させると、圧力室の容積が変化し、ノズル開口からインク滴が吐出される。圧電振動子３には、駆動電極に駆動信号を給電するための接続端子（図示せず）が形成されており、この接続端子に中継ケーブル５の一端側コネクタ端子３０が半田付け等によって電気的に接続される。ここで、圧電振動子３に一端側コネクタ端子３０が接続された中継ケーブル５は、圧電振動子３に対して起立した状態に折り曲げられる。そして、ヘッドユニット４は、ノズルプレート２６を下側に向けた状態でヘッドユニット取付部９の先端側（底面）に取り付けられ、ヘッドカバー２８によって縁部が保護されるようになっている。
【００３１】
中継ケーブル５は、圧電振動子３に駆動信号を供給するための配線パターンが形成されたフィルム状の配線部材である。この中継ケーブル５の一端側には、圧電振動子３の接続端子（図示せず）と電気的に接続されるコネクタ端子３０が一端に形成され、また、他端側には、配線基板６の基板コネクタ端子（図示せず）と電気的に接続されるコネクタ端子３１が形成されている。
【００３２】
基板ベース部１０は、左右方向（ノズル列直交方向）に長尺な板状部材であり、上面（基板配設面）に配線基板６を配設し、この配線基板６に中継ケーブル５が接続される。そして、この基板ベース部１０の周囲には、上記配線基板６を囲繞するように横長箱体状のコネクタボックス４１が設けられる。
【００３３】
このコネクタボックス４１は、万一、供給針ベース部８側でインクの漏出が発生した場合において、漏出インクが基板ベース部１０へ側方から浸入するのを阻止するように液密状に構成されている。
【００３４】
配線基板６は、ヘッドユニット４の圧電振動子３に供給する各種駆動信号用の導体パターンや電子部品が実装されると共に、中継ケーブル５の他端側のコネクタ端子３１が接続される基板コネクタ端子（図示せず）が形成された基板である。この配線基板６はコネクタ端子３２が実装されており、このコネクタ端子３２には、制御装置からの板状の信号伝達部材３５の接点部３６が挿入されて電気的に接続されるようになっている。
【００３５】
上記コネクタボックス４１は、上面を構成しているボックス区画壁４２に板状の信号伝達部材３５を導入する導入口４３が長孔状に形成されており、この導入口４３から内部に導入した上記信号伝達部材３５の接点部３６を接続する上記コネクタ端子３２を配線基板６と共に内部に収納するように成っている。即ち、コネクタボックス４１は、板状の信号伝達部材３５を導入する長孔状導入口４３が開口されている部分以外は、ボックス区画壁４２および基板ベース部１０によって横長箱体状の密閉空間を区画形成している。
【００３６】
板状の信号伝達部材３５としては、駆動信号や制御信号等の各種の信号を伝達するＦＦＣ（フレキシブルフラットケーブル）等のフレキシブル基板や、ガラスエポキシ基板等の硬質基板が挙げられ、コネクタボックス４１の長孔状導入口４３から内部に導入されて、その接点部３６がコネクタ端子３２に挿し込まれて電気的に接続される。本実施形態ではコネクタ端子３２に、信号伝達部材３５としてのフレキシブルフラットケーブルの接点部３６が挿入接続されるように成っているが、これに限るものではなく、上記コネクタ端子３２は信号伝達部材３５の接点部３６を半田接続する表面実装端子であってもよい。
【００３７】
このコネクタボックス４１の長孔状導入口４３の上方は、シール部材５１で覆われ、さらに該シール部材５１上にはキャップ部材６１が被せられ、これらにより防水機能が担保されている。
【００３８】
図５は、本実施形態におけるシール部材５１を示しており、（ａ）は平面図、（ｂ）は長手方向の断面図、（ｃ）は正面図、（ｄ）は裏面図、（ｅ）は側面図、（ｆ）は幅方向の断面図である。
シール部材５１は、断面略凸状（横長ハット状）を呈しており、中央の凸部５２は上方内側へ向かって傾斜した側壁部５３を有し、該側壁部５３の上端部分には、後述するキャップ部材６１の内面に形成したテーパー部が当接する位置（外面）に、側壁部５３の傾斜よりも傾斜させた傾斜部５２´が面取りしたように形成され、側壁部５３の下端に形成されて上記ボックス区画壁４２の上面に当接する着座部５４はフランジ状に周囲に張り出して形成されている。また、このシール部材５１の側壁部５３の上端を閉塞する上部５５（頂部）には、上記信号伝達部材３５を通過させるためのスリット状挿通部５６が上面の長手方向に沿って開口されており、このスリット状挿通部５６の両端部５８には、他の部分よりも狭く線状のスリットが形成されている。信号伝達部材３５の挿通後の液密性については、当該両端部５８が線状で形成されているため、十分に確保される。スリット状挿通部５６にはフレキシブルフラットケーブル等の信号伝達部材３５を通過させるので、その開口長さＬは信号伝達部材３５の横幅よりも若干狭く設定されている。また、上記中央部分のスリット幅Ｗは、上記信号伝達部材３５の挿通の容易性を考慮して、信号伝達部材３５の厚みよりも若干厚く設定したとしても、キャップ部材６１の締付けで液密性、固定性は確保されるが、信号伝達部材３５の厚みよりも若干小さく設定されていた方が、信号伝達部材３５がシール部材５１によって固定され、液密状態になるため、キャップ部材６１にシール部材５１を嵌合させる際にシール部材５１に取り付けられた信号伝達部材３５が不用意にずれることがなく、液密性の更なる向上が図れる。そして、このシール部材５１は、ゴムやエラストマー等の柔軟性を有する軟質材料により形成されている。
【００３９】
また図６は、本実施形態におけるキャップ部材６１を示しており、（ａ）は平面図、（ｂ）は長手方向の断面図、（ｃ）は正面図、（ｄ）は裏面図、（ｅ）は側面図、（ｆ）は幅方向の断面図である。
キャップ部材６１は、断面略凸状（横長山形状）を呈した中空な部材であり、凸部６２は上方内側へ向かって傾斜した側壁部６３を有し、この側壁部６３の下端は上記シール部材５１の着座部５４上に当接することになる。また、このキャップ部材６１の側壁部６３の上端を閉塞する上部６５（頂部）には、上記信号伝達部材３５を通過させるための開口部６６が上部の長手方向に沿って長孔状に開口されている。そして、この開口部６６はフレキシブルフラットケーブル等の信号伝達部材３５を通過させるので、その開口長さＳは信号伝達部材３５の横幅よりも若干大きく設定されている。また、このキャップ部材６１の内面（長手方向の内面）には、信号伝達部材３５に対向する位置にテーパー部６４を形成してある。テーパー部６４の傾斜角度αは、キャップ部材６１を止着した際にシール部材５１の傾斜部５２´を押圧してスリット状挿通部５６の幅を狭めて振動伝達部材３５の表裏面に密着させ得るに過不足ない角度（例えば約６０度）に設定されている。また、キャップ部材６１の長手方向の両端部には、上記コネクタボックス４１に備えた係止手段７１を係止するための係止部７２が上部６５よりも下方で突設した凹状段部として形成されている。なお、キャップ部材６１の幅方向両端部には、長手方向に沿って肉厚の補強部６８が形成されており、樹脂材料により一体成型されても十分な剛性が確保されている。
そして、この様な構成からなるキャップ部材６１は、前記シール部材に被せた状態で係止手段７１によりコネクタボックスに止着される。
【００４０】
係止手段７１は、図２に示すように、上記ボックス区画壁４２の導入口４３の長手方向両端部の近傍からそれぞれ立設した逆さＬ字状の係止爪によって構成されており、この係止爪７１を上記キャップ部材６１の長手方向両端部の係止部７２に引っ掛けて該キャップ部材６１を拘束して上記シール部材５１をボックス区画壁４２側に押えるように成っている。このように係止手段７１によりキャップ部材６１をシール部材５１に被せた状態で止めてシール部材５１を押えると、キャップ部材６１の側壁部６３の下端がシール部材５１の着座部５４を押えて導入口４３の周辺のボックス区画壁４２の上面に密着し、また、キャップ部材６１の内面のテーパー部６４がシール部材５１の側壁部５３の傾斜部５２´を押圧し、これにより、キャップ部材６１を押し込むにつれてシール部材５１のスリット状挿通部５６を狭めて信号伝達部材３５の表裏面に密着させることができる。なお、テーパー部６４はキャップ部材６２の内面のうち、信号伝達部材３５の表裏面に対向する部分だけであって、信号伝達部材３５の両端に対向する部分には形成されていない。したがって、信号伝達部材３５は、その厚み方向にのみ係止手段７１の押圧力を受けてシール部材５１と密着してシールされる。そして、信号伝達部材３５の幅方向両端に関しては、シール部材５１のスリット状挿通部５６の長さが信号伝達部材の幅以下（幅と同じ寸法乃至僅かに短い）に設定されているので、シール部材５１自体の弾性力でスリット状挿通部５６の両端が信号伝達部材３５の両端に密着してシールし、信号伝達部材３５を不要に湾曲させることがない。
【００４１】
なお、係止手段は、本実施形態においては係止爪により構成したが、本発明においてはこれに限定されるものではなく、キャップ部材をシール部材に被せた状態で止めることができればどのような構成でもよい。例えば、キャップ部材をボックス区画壁に対してネジで止める構成でもよいし、あるいはトグル金具で着脱可能な状態で止める構成でもよい。
【００４２】
この様に、本実施形態によれば、液体導入口から導入した液体を圧力発生素子３を駆動することにより液滴としてノズル開口から吐出する記録ヘッド１に、液密構造を有するコネクタボックス４１を装備することができ、しかも液密構造が簡単であって、確実なシール機能を発揮する。したがって、インクジェット式記録ヘッドを備えたプリンタをモバイル化しても、信号伝達部材とコネクタ端子との接続部分を確実に保護することができる。
【００４３】
なお、上記実施形態では、圧電振動子として撓み振動モードのものを用いた例を挙げて説明したが、本発明は、所謂縦振動モードの圧電振動子を適用させても良い。また、圧力発生素子として圧電振動子を用いた例を挙げて説明したが、これに限らず、発熱素子等の他の圧力発生素子を用いて液滴を吐出させる液体噴射ヘッドにも本発明を適用することができる。また、上記実施形態では、インクジェット式記録ヘッドに本発明を適用した例を説明したが、これに限定されるものではない。本発明は、例えば、液晶ディスプレー等のカラーフィルタの製造に用いられる色材噴射ヘッド、有機ＥＬディスプレー、ＦＥＤ等の電極形成に用いられる電極材噴射ヘッド、バイオチップの製造に用いられる生体有機物噴射ヘッド等の他の液体噴射ヘッドにも適用することができる。
【図面の簡単な説明】
【００４４】
【図１】インクジェット式記録ヘッドの外観を示す斜視図である。
【図２】図１におけるＡ−Ａ線断面図および部分拡大図である。
【図３】図１におけるＢ−Ｂ線断面図および部分拡大図である。
【図４】記録ヘッドを右前上方から見た分解斜視図である。
【図５】本発明におけるシール部材を示しており、（ａ）は平面図、（ｂ）は長手方向の断面図、（ｃ）は正面図、（ｄ）は裏面図、（ｅ）は側面図、（ｆ）は幅方向の断面図である。
【図６】本発明におけるキャップ部材を示しており、（ａ）は平面図、（ｂ）は長手方向の断面図、（ｃ）は正面図、（ｄ）は裏面図、（ｅ）は側面図、（ｆ）は幅方向の断面図である。
【図７】従来のコネクタボックスの防水構造の一例を示す断面図である。
【図８】従来のコネクタボックスの防水構造の他例を示す断面図である。
【符号の説明】
【００４５】
１  液体噴射ヘッド、  ２  インク供給針、  ３  圧力発生素子（圧電振動子）、
４  ヘッドユニット、  ５  中継ケーブル、  ６  配線基板、  ７  ケース、  ８  供給針ベース部、  ９  ヘッドユニット取付部、  １０  基板ベース部、  １８  アクチュエータユニット、  １９  流路ユニット、  ２２  供給口プレート、  ２４  リザーバプレート、  ２６  ノズルプレート、  ２８  ヘッドカバー、  ３０  中継ケーブルの一端側のコネクタ端子、  ３１  中継ケーブルの他端側のコネクタ端子、  ３２  コネクタ端子、  ３５  信号伝達部材、  ３６  接点部、  ４１  コネクタボックス、  ４２  ボックス区画壁、  ４３  導入口、  ５１  シール部材、  ５２  凸部、  ５３  側壁部、  ５４  着座部、  ５６  スリット状挿通部、  ５８  両端部、  ６１  キャップ部材、  ６２  凸部、  ６３  側壁部、  ６４  テーパー部、  ６５  上部、  ６６  開口部、  ６８  補強部、  ７１  係止手段、  ７２  係止部、  
Ｗ  スリット幅、  Ｌ  スリット長さ、  Ｓ  開口長さ、
【図１】
2005276638.tif 000003
【図２】
2005276638.tif 000004
【図３】
2005276638.tif 000005
【図４】
2005276638.tif 000006
【図５】
2005276638.tif 000007
【図６】
2005276638.tif 000008
【図７】
2005276638.tif 000009
【図８】
2005276638.tif 000010